(57)【要約】【課題】超音波によって血管壁の境界を検出する方法として、測定対象となる血管壁の構造を解析し、境界位置、中膜位置、外膜位置により分割された複数範囲から、特定の範囲を選択して血管壁の移動量や弾性率値を表示することが考慮されていなかった。また、自動または手動で境界分割した位置の修正をフリーズ後に繰り返す（再設定する）事が考慮されていない。【解決手段】上記課題を解決するために本発明では、検出された境界位置、中膜位置、外膜位置により分割された複数範囲をユーザが任意に選択する機能を有し、選択した範囲内に限定して血管壁の移動量や弾性率値を表示することができる。また、分割した境界情報をシネメモリに保存する手段と、フリーズ後にシネメモリから血管壁の移動量や弾性率値を分割した境界情報を超音波画像と共に再生する機能を有し、境界位置、中膜位置、外膜位置などに分割された境界位置をフリーズ後に手動で再定義する。【選択図】図１
2006122295.tif 000002
【特許請求の範囲】
【請求項１】
被験体の皮膚の表面から被験体の血管の長手方向に沿って複数の超音波パルスを発信する発信手段と、
血管によって反射された超音波エコー信号に基づいて皮膚の表面からの深さ方向に沿った超音波エコーを受信し電気信号に変換する超音波受信手段と、
血管の中心軸に対して交差する方向の超音波エコー信号の位相を解析し血管壁の移動量を算出する移動検出手段と、
算出した血管壁の移動量の変化に基づいて血管の長手方向に沿った血管の内膜と血管を通って血液が流れる血液流領域との間の境界位置と血管の長手方向に沿った中膜位置と血管の長手方向に沿った外膜位置との少なくとも一つを自動検出する境界位置検出手段と、
境界位置、中膜位置、外膜位置により分割された複数範囲をユーザが任意に選択する手段と、
選択した範囲内に限定して血管壁の移動量や弾性率値を表示する手段とを具備することを特徴とする超音波診断装置。
【請求項２】
被験体の皮膚の表面から被験体の血管の長手方向に沿って複数の超音波パルスを発信する発信手段と、
血管によって反射された超音波エコー信号に基づいて、皮膚の表面からの深さ方向に沿った超音波エコーを受信し電気信号に変換する超音波受信手段と、
血管の中心軸に対して交差する方向の超音波エコー信号の位相を解析し血管壁の移動量や弾性率値を算出する移動検出手段と、
手動で血管の長手方向に沿った血管の内膜と血管を通って血液が流れる血液流領域との間の境界位置と血管の長手方向に沿った中膜位置と血管の長手方向に沿った外膜位置の少なくとも一つを定義する境界位置指定手段と、
境界位置、中膜位置、外膜位置により分割された複数範囲をユーザが任意に選択する手段と、
選択した範囲内に限定して血管壁の移動量や弾性率値を表示する手段とを具備することを特徴とする超音波診断装置。
【請求項３】
超音波画像、血管壁の移動量の変化情報と共に複数範囲に分割した境界情報をシネメモリに保存する手段と、
フリーズ後にシネメモリから血管壁の移動量や弾性率値を分割した境界情報を超音波画像と共に再生する手段と、
その再生情報として境界位置、中膜位置、外膜位置に分割された境界位置を手動で再定義する境界位置指定手段とを具備したことを特徴とする請求項１または２いずれか一項に記載の超音波診断装置。
【請求項４】
血管壁は、発信手段に近い側の前壁と発信手段から遠い側の後壁とを有しており、皮膚の表面からの深さ方向に沿った境界位置を検出するための関心領域を、前壁と後壁との少なくとも一方を跨ぐように配置する関心領域配置手段と、ユーザ選択範囲を関心領域内に限定する手段を具備したことを特徴とする請求項１〜３にいずれか一項に記載の超音波診断装置。
【請求項５】
算出した血管壁の移動量の変化に基づいて組織の弾性情報を算出する手段と、算出した弾性情報をユーザ選択した範囲内に限定してモニタ表示することを特徴とする請求項１〜４にいずれか一項に記載の超音波診断装置。
【請求項６】
算出した血管壁の移動量の変化に基づいて組織の弾性情報を算出する手段と、算出した弾性情報をユーザ選択した範囲内に限定して弾性情報の平均値、最大値、最小値、分散値の少なくとも一つを算出することを特徴とする請求項１〜４にいずれか一項に記載の超音波診断装置。
【請求項７】
算出した血管壁の移動量の変化に基づいて組織の弾性情報を算出する手段と、算出した弾性情報をユーザ選択した範囲内に限定してヒストグラム形式でモニタ表示することを特徴とする請求項１〜４いずれか一項に記載の超音波診断装置。
【請求項８】
血管壁の移動量をユーザ選択した範囲内に限定してヒストグラム形式でモニタ表示することを特徴とする請求項１〜４いずれか一項に記載の超音波診断装置。
【請求項９】
Ｂ画像の輝度値をユーザ選択した範囲内に限定してヒストグラム形式でモニタ表示することを特徴とする請求項１〜４いずれか一項に記載の超音波診断装置。
【発明の詳細な説明】
【技術分野】
【０００１】
本発明は、血管の状態を超音波によって診断する超音波診断装置に関する。
【背景技術】
【０００２】
超音波によって血管壁の境界を検出する方法が知られている（例えば、特許文献１参照）。この方法は、標準的な血管構造を有していることを前提として、血管によって反射された超音波に基づく画像データにおける輝度信号の最大ピーク値と第２ピーク値とに基づいて、血管変位、血管径および血管壁の厚さ等を計測する。また、超音波によって血管壁（頚動脈）のＩＭＴ（Ｉｎｔｉｍａ−Ｍｅｄｉａ  Ｔｈｉｃｋｎｅｓｓ：内膜から中膜までの厚み）値を検出する方法として、標準的な血管構造を有していることを前提として、血管によって反射された超音波に基づく画像データにおける輝度信号の最大ピーク値と第２ピーク値とに基づいて、血管壁（頚動脈）のＩＭＴ値を計測する方法がある（例えば、特許文献２参照）。
【特許文献１】特開２０００−２７１１１７号公報
【特許文献２】特開平１１−３１８８９６号公報
【発明の開示】
【発明が解決しようとする課題】
【０００３】
しかしながら前述した従来技術では、測定対象となる血管壁の構造を解析し、境界位置、中膜位置、外膜位置により分割された複数範囲から、特定の範囲を選択して血管壁の移動量や弾性率値を表示することが考慮されていなかった。また、自動または手動で境界分割した位置の修正をフリーズ後に繰り返す（再設定する）事が考慮されていなかった、という問題を有していた。
【０００４】
本発明は、前記従来の課題を解決するもので、選択した範囲内に限定して血管壁の移動量や弾性率値を表示することを目的とする。
【課題を解決するための手段】
【０００５】
本発明の超音波診断装置では、血管の長手方向に沿った血管の内膜と血管を通って血液が流れる血液流領域との間の境界位置と、血管の長手方向に沿った中膜位置と、血管の長手方向に沿った外膜位置の少なくとも一つを自動検出する境界位置検出手段と、境界位置、中膜位置、外膜位置により分割された複数範囲をユーザが任意に選択する機能を有している。この構成により、選択した範囲内に限定して血管壁の移動量や弾性率値を表示することができる。
【０００６】
また、本発明の超音波診断装置では、手動で血管の長手方向に沿った血管の内膜と血管を通って血液が流れる血液流領域との間の境界位置と、血管の長手方向に沿った中膜位置と、血管の長手方向に沿った外膜位置の少なくとも一つを定義する境界位置指定手段と、境界位置、中膜位置、外膜位置により分割された複数範囲をユーザが任意に選択機能を有している。この構成により、選択した範囲内に限定して血管壁の移動量や弾性率値を表示することができる。
【０００７】
また、本発明の超音波診断装置では、血管壁の移動量の変化情報と共に複数範囲に分割した境界情報をシネメモリに保存する手段と、フリーズ後にシネメモリから血管壁の移動量や弾性率値を分割した境界情報を超音波画像と共に再生する機能を有している。この構成により、境界位置、中膜位置、外膜位置などに分割された境界位置をフリーズ後に手動で再定義することができる。
【０００８】
また、本発明の超音波診断装置では、皮膚の表面からの深さ方向に沿った境界位置を検出するための関心領域を、前壁と後壁との少なくとも一方を跨ぐように配置する関心領域配置手段機能を有している。この構成により、ユーザ選択範囲を関心領域内に限定することができる。
【０００９】
また、本発明の超音波診断装置では、算出した血管壁の移動量の変化に基づいて、組織の弾性情報を算出する機能を有している。この構成により、算出した弾性情報をユーザ選択した範囲内に限定してモニタ表示することができる。
【００１０】
また、本発明の超音波診断装置では、算出した血管壁の移動量の変化に基づいて、組織の弾性情報を算出する機能を有している。この構成により、算出した弾性情報をユーザ選択した範囲内に限定して弾性情報の平均値、最大値、最小値、分散値の少なくとも一つを算出することができる。
【００１１】
また、本発明の超音波診断装置では、算出した血管壁の移動量の変化に基づいて、組織の弾性情報を算出する機能を有している。この構成により、算出した弾性情報をユーザ選択した範囲内に限定してヒストグラム形式でモニタ表示することができる。
【００１２】
また、本発明の超音波診断装置では、血管壁の移動量をユーザ選択した範囲内に限定してヒストグラム形式でモニタ表示することができる。
【００１３】
また、本発明の超音波診断装置では、Ｂ画像の輝度値をユーザ選択した範囲内に限定してヒストグラム形式でモニタ表示することができる。
【発明の効果】
【００１４】
本発明は、血管の長手方向に沿った血管の内膜と血管を通って血液が流れる血液流領域との間の境界位置と、血管の長手方向に沿った中膜位置と、血管の長手方向に沿った外膜位置の少なくとも一つを自動検出する境界位置検出手段と、境界位置、中膜位置、外膜位置により分割された複数範囲をユーザが任意に選択する機能を設けることにより、選択した範囲内に限定して血管壁の移動量や弾性率値を表示する、という効果を有する超音波診断装置を提供することができるものである。
【００１５】
また、本発明は、手動で血管の長手方向に沿った血管の内膜と血管を通って血液が流れる血液流領域との間の境界位置と、血管の長手方向に沿った中膜位置と、血管の長手方向に沿った外膜位置の少なくとも一つを定義する境界位置指定手段と、境界位置、中膜位置、外膜位置により分割された複数範囲をユーザが任意に選択する機能を設けることにより、選択した範囲内に限定して血管壁の移動量や弾性率値を表示する、という効果を有する超音波診断装置を提供することができるものである。
【００１６】
また、本発明は、血管壁の移動量の変化情報と共に複数範囲に分割した境界情報をシネメモリに保存する手段と、フリーズ後にシネメモリから血管壁の移動量や弾性率値を分割した境界情報を超音波画像と共に再生するする機能を設けることにより、境界位置、中膜位置、外膜位置などに分割された境界位置をフリーズ後に手動で再定義する、という効果を有する超音波診断装置を提供することができるものである。
【００１７】
また、本発明は、皮膚の表面からの深さ方向に沿った境界位置を検出するための関心領域を、前壁と後壁との少なくとも一方を跨ぐように配置する関心領域配置する機能を設けることにより、ユーザ選択範囲を関心領域内に限定する、という効果を有する超音波診断装置を提供することができるものである。
【００１８】
また、本発明は、算出した血管壁の移動量の変化に基づいて、組織の弾性情報を算出する機能を設けることにより、算出した弾性情報をユーザ選択した範囲内に限定してモニタ表示する、という効果を有する超音波診断装置を提供することができるものである。
【００１９】
また、本発明は、算出した血管壁の移動量の変化に基づいて、組織の弾性情報を算出する機能を設けることにより、算出した弾性情報をユーザ選択した範囲内に限定して弾性情報の平均値、最大値、最小値、分散値の少なくとも一つを算出する、という効果を有する超音波診断装置を提供することができるものである。
【００２０】
また、本発明は、算出した血管壁の移動量の変化に基づいて、組織の弾性情報を算出する機能を設けることにより、算出した弾性情報をユーザ選択した範囲内に限定してヒストグラム形式でモニタ表示する、という効果を有する超音波診断装置を提供することができるものである。
【００２１】
また、本発明は、血管壁の移動量をユーザ選択した範囲内に限定してヒストグラム形式でモニタ表示する、という効果を有する超音波診断装置を提供することができるものである。
【００２２】
また、本発明は、Ｂ画像の輝度値をユーザ選択した範囲内に限定してヒストグラム形式でモニタ表示する、という効果を有する超音波診断装置を提供することができるものである。
【発明を実施するための最良の形態】
【００２３】
（実施の形態１）
本発明の第１の実施の形態の超音波装置について図１を用いてその動作を説明する。図１において、超音波プローブ１００はＢモード画像１０１として血管内を流れる血流部１０２と血管壁１０３を表示できる体表位置に配置されている。また、血管壁１０３は内膜１０４、中膜１０５、外膜１０６の三層構造となっており、各種演算を実施する関心領域１０７が粥種（アテローム）１０８を捉えるような位置に配置されている。
【００２４】
血管によって反射された超音波エコー信号は超音波プローブ１００で受信され信号受信１１０で皮膚の表面からの深さ方向に沿った超音波エコー信号として電気信号に変換された後に２方向に分岐して、一方は移動量検出１２０で、拍動などによる血管壁の移動量が検出され、境界検出（自動）１２１で血管壁の移動量の変化に基づいて、血管の長手方向に沿った血管の内膜と血管を通って血液が流れる血液流領域との間の境界（内膜）位置と中膜位置と外膜位置の少なくとも一つを自動検出する。
【００２５】
血管壁は、発信手段に近い側の前壁と発信手段から遠い側の後壁とを有している為、ユーザ設定に従って関心領域配置１２４では境界位置を検出するための関心領域を、後壁側の血管壁を跨ぐように配置している。同様に範囲限定１２５ではユーザ設定に従って各種演算処理を実施する対象範囲を定め、演算処理１２６で関心領域内かつ対象範囲内に限定して血管壁の移動量や弾性率値、その平均値、最大値、最小値、分散値、ヒストグラム値を算出している。
【００２６】
また、信号受信１１０で２方向に分岐した他方側は、Ｂモード処理１３０で各種の信号処理が施され、画像合成１３２では、演算処理１２６で求められた血管壁の移動量や弾性率値、その平均値、最大値、最小値、分散値、ヒストグラム値を超音波画像と合成して、表示部１３３に送出している。
【００２７】
以上のように構成された超音波診断装置の範囲限定１２５について、図２、図３とともにその動作を詳細に説明する。例えば、図２では関心領域２０７が粥種（アテローム）２０８を捉えるように配置した際に、その粥種（アテローム）２０８自体の賛成率値を求めたい場合には内膜２０４と中膜２０５の間のみを演算処理を行う対象範囲として定めれば、内膜中膜間のみを（着色）表示２０８のように表示部１３３に表示され、演算処理１２６でも、関心領域２０７内かつ内膜２０４と中膜２０５の間のみから血管壁の移動量や弾性率値、その平均値、最大値、最小値、分散値、ヒストグラム値などを算出する。
【００２８】
また、図３では関心領域３０７が粥種（アテローム）３０８を捉えるように配置した際に、粥種（アテローム）３０８の外側に相当する中膜３０５と外膜３０６の間のみを演算処理を行う対象範囲として定めれば、中膜外膜間のみを（着色）表示３０８のように表示部１３３に表示され、演算処理１２６でも、関心領域３０７内かつ中膜３０５と外膜３０６の間のみから血管壁の移動量や弾性率値、その平均値、最大値、最小値、分散値、ヒストグラム値などを算出することが可能となる。
【００２９】
なお、以上の説明では、内膜中膜間と中膜外膜間に限定して説明したが、内膜外膜間や内膜から関心領域（下側）間など他の領域選択であっても同様に実施可能である。また、リアルタイム処理中に領域を変更することも実施可能である。さらに、フリーズ後に領域を変更することも実施可能である。
【００３０】
（実施の形態２）
本発明の第２の実施の形態の超音波装置について図４を用いてその動作を説明する。図４において、超音波プローブ４００はＢモード画像４０１として血管内を流れる血流部４０２と血管壁４０３を表示できる体表位置に配置されている。また、血管壁４０３は内膜４０４、中膜４０５、外膜４０６の三層構造となっており、各種演算を実施する関心領域４０７が粥種（アテローム）４０８を捉えるような位置に配置されている。
【００３１】
血管によって反射された超音波エコー信号は超音波プローブ４００で受信され信号受信４１０で皮膚の表面からの深さ方向に沿った超音波エコー信号として電気信号に変換された後に２方向に分岐して、一方は移動量検出４２０で、拍動などによる血管壁の移動量が検出され、境界検出（手動）４２１で血管の長手方向に沿った血管の内膜と血管を通って血液が流れる血液流領域との間の境界（内膜）位置と中膜位置と外膜位置の少なくとも一つを設定する。
【００３２】
血管壁は、発信手段に近い側の前壁と発信手段から遠い側の後壁とを有している為、ユーザ設定に従って関心領域配置４２４では境界位置を検出するための関心領域を、後壁側の血管壁を跨ぐように配置している。同様に範囲限定４２５ではユーザ設定に従って各種演算処理を実施する対象範囲を定め、演算処理４２６で関心領域内かつ対象範囲内に限定して血管壁の移動量や弾性率値、その平均値、最大値、最小値、分散値、ヒストグラム値を算出している。
【００３３】
また、信号受信４１０で２方向に分岐した他方側は、Ｂモード処理４３０で各種の信号処理が施され、画像合成４３２では、演算処理４２６で求められた血管壁の移動量や弾性率値、その平均値、最大値、最小値、分散値、ヒストグラム値を超音波画像と合成して、表示部４３３に送出している。
【００３４】
以上のように構成された超音波診断装置の範囲限定４２５について、図５、図６ともにその動作を詳細に説明する。例えば、図５では関心領域５０７が粥種（アテローム）５０８を捉えるように配置した際に、その粥種（アテローム）５０８自体の賛成率値を求めたい場合には内膜５０４と中膜５０５の間のみを演算処理を行う対象範囲として定めれば、内膜中膜間のみを（着色）表示５０８のように表示部４３３に表示され、演算処理４２６でも、関心領域５０７内かつ内膜５０４と中膜５０５の間のみから血管壁の移動量や弾性率値、その平均値、最大値、最小値、分散値、ヒストグラム値などを算出する。
【００３５】
また、図６では関心領域６０７が粥種（アテローム）６０８を捉えるように配置した際に、粥種（アテローム）６０８の外側に相当する中膜６０５と外膜６０６の間のみを演算処理を行う対象範囲として定めれば、中膜外膜間のみを（着色）表示６０８のように表示部４３３に表示され、演算処理４２６でも、関心領域６０７内かつ中膜６０５と外膜６０６の間のみから血管壁の移動量や弾性率値、その平均値、最大値、最小値、分散値、ヒストグラム値などを算出することが可能となる。
【００３６】
なお、以上の説明では、内膜中膜間と中膜外膜間に限定して説明したが、内膜外膜間や内膜から関心領域（下側）間など他の領域選択であっても同様に実施可能である。また、リアルタイム処理中に領域を変更することも実施可能である。また、フリーズ後に領域を変更することも実施可能である。
【００３７】
（実施の形態３）
次に、本発明の第３の実施の形態の超音波装置について図７を用いてその動作を説明する。図７において、超音波プローブ７００はＢモード画像７０１として血管内を流れる血流部７０２と血管壁７０３を表示できる体表位置に配置されている。また、血管壁７０３は内膜７０４、中膜７０５、外膜７０６の三層構造となっており、各種演算を実施する関心領域７０７が粥種（アテローム）７０８を捉えるような位置に配置されている。
【００３８】
血管によって反射された超音波エコー信号は超音波プローブ７００で受信され信号受信７１０で皮膚の表面からの深さ方向に沿った超音波エコー信号として電気信号に変換された後に２方向に分岐して、一方は移動量検出７２０で、拍動などによる血管壁の移動量が検出され、境界検出（自動）７２１で血管壁の移動量の変化に基づいて、血管の長手方向に沿った血管の内膜と血管を通って血液が流れる血液流領域との間の境界（内膜）位置と中膜位置と外膜位置の少なくとも一つを自動検出する。シネメモリ７２２は血管壁の移動量の変化情報と共に複数範囲に分割した境界情報を保存し、フリーズ後には血管壁の移動量や弾性率値を分割した境界情報を超音波画像と連動して再生する。
【００３９】
境界修正（手動）７２３ではその再生情報として境界位置、中膜位置、外膜位置などに分割された境界位置を手動で再定義する。血管壁は、発信手段に近い側の前壁と発信手段から遠い側の後壁とを有している為、ユーザ設定に従って関心領域配置７２４では境界位置を検出するための関心領域を、後壁側の血管壁を跨ぐように配置している。同様に範囲限定７２５ではユーザ設定に従って各種演算処理を実施する対象範囲を定め、演算処理７２６で関心領域内かつ対象範囲内に限定して血管壁の移動量や弾性率値、その平均値、最大値、最小値、分散値、ヒストグラム値を算出している。
【００４０】
また、信号受信７１０で２方向に分岐した他方側は、Ｂモード処理７３０で各種の信号処理が施され、シネメモリ７３１はＢモードエコー信号を保存し、フリーズ後にはシネメモリ７２２と連動して超音波画像を再生する。画像合成７３２では、演算処理７２６で求められた血管壁の移動量や弾性率値、その平均値、最大値、最小値、分散値、ヒストグラム値を超音波画像と合成して、表示部７３３に送出している。
【００４１】
以上のように構成された超音波診断装置の境界修正（手動）７２３について、図８、図９とともにその動作を詳細に説明する。例えば、関心領域８０７が粥種（アテローム）８０８を捉えるように配置しても、内膜８０４の検出位置が不完全で境界（誤）検出８０９のようにエラーが発生している状態を図８で示している。この時、図９に示すようにユーザが手動により訂正することで、境界（訂正後）９０９のように内膜９０４の検出位置を訂正すれば、粥種（アテローム）９０８の形状と同一に修正できるので、所望の範囲に限定した正しい演算結果を得ることが可能となる。
【産業上の利用可能性】
【００４２】
以上のように、本発明は超音波によって測定対象となる血管壁の構造を解析し、境界位置、中膜位置、外膜位置により分割された複数範囲から、ユーザが任意に選択する機能を有し、選択した範囲内に限定して血管壁の移動量や弾性率値を表示することができる。また、分割した境界情報をシネメモリに保存する手段と、フリーズ後にシネメモリから血管壁の移動量や弾性率値を分割した境界情報を超音波画像と共に再生する機能を有し、境界位置、中膜位置、外膜位置などに分割された境界位置をフリーズ後に手動で再定義することができる、という操作が可能な超音波診断装置に関して有用である。
【図面の簡単な説明】
【００４３】
【図１】本発明の第１の実施の形態における超音波診断システムのブロック図
【図２】本発明の第１の実施の形態における内膜中膜間のみを選択する状態の説明図
【図３】本発明の第１の実施の形態における中膜外膜間のみを選択する状態の説明図
【図４】本発明の第２の実施の形態における超音波診断システムのブロック図
【図５】本発明の第２の実施の形態における内膜中膜間のみを選択する状態の説明図
【図６】本発明の第２の実施の形態における中膜外膜間のみを選択する状態の説明図
【図７】本発明の第３の実施の形態における超音波診断システムのブロック図
【図８】本発明の第３の実施の形態における境界判定エラー状態の説明図
【図９】本発明の第３の実施の形態における境界判定を訂正する状態の説明図
【符号の説明】
【００４４】
１００    超音波プローブ
１０１    Ｂモード画像
１０２    血流部
１０３    血管壁
１０４    内膜
１０５    中膜
１０６    外膜
１０７    関心領域
１０８    粥種（アテローム）
１１０    信号受信
１２０    移動検出
１２１    境界検出（自動）
１２４    関心領域配置
１２５    範囲限定
１２６    演算処理
１３０    Ｂモード処理
１３２    画像合成
１３３    表示部
２００    超音波プローブ
２０１    Ｂモード画像
２０２    血流部
２０３    血管壁
２０４    内膜
２０５    中膜
２０６    外膜
２０７    関心領域
２０８    内膜中膜間のみを（着色）表示
３００    超音波プローブ
３０１    Ｂモード画像
３０２    血流部
３０３    血管壁
３０４    内膜
３０５    中膜
３０６    外膜
３０７    関心領域
３０８    中膜外膜間のみを（着色）表示
４００    超音波プローブ
４０１    Ｂモード画像
４０２    血流部
４０３    血管壁
４０４    内膜
４０５    中膜
４０６    外膜
４０７    関心領域
４０８    粥種（アテローム）
４１０    信号受信
４２０    移動検出
４２１    境界検出（手動）
４２４    関心領域配置
４２５    範囲限定
４２６    演算処理
４３０    Ｂモード処理
４３２    画像合成
４３３    表示部
５００    超音波プローブ
５０１    Ｂモード画像
５０２    血流部
５０３    血管壁
５０４    内膜
５０５    中膜
５０６    外膜
５０７    関心領域
５０８    内膜中膜間のみを（着色）表示
６００    超音波プローブ
６０１    Ｂモード画像
６０２    血流部
６０３    血管壁
６０４    内膜
６０５    中膜
６０６    外膜
６０７    関心領域
６０８    中膜外膜間のみを（着色）表示
７００    超音波プローブ
７０１    Ｂモード画像
７０２    血流部
７０３    血管壁
７０４    内膜
７０５    中膜
７０６    外膜
７０７    関心領域
７０８    粥種（アテローム）
７１０    信号受信
７２０    移動検出
７２１    境界検出（自動）
７２２    シネメモリ
７２３    境界修正（手動）
７２４    関心領域配置
７２５    範囲限定
７２６    演算処理
７３０    Ｂモード処理
７３１    シネメモリ
７３２    画像合成
７３３    表示部
８００    超音波プローブ
８０１    Ｂモード画像
８０２    血流部
８０３    血管壁
８０４    内膜
８０５    中膜
８０６    外膜
８０７    関心領域
８０８    粥種（アテローム）
８０９    境界（誤）検出
９００    超音波プローブ
９０１    Ｂモード画像
９０２    血流部
９０３    血管壁
９０４    内膜
９０５    中膜
９０６    外膜
９０７    関心領域
９０８    粥種（アテローム）
９０９    境界（訂正後）
【図１】
2006122295.tif 000003
【図２】
2006122295.tif 000004
【図３】
2006122295.tif 000005
【図４】
2006122295.tif 000006
【図５】
2006122295.tif 000007
【図６】
2006122295.tif 000008
【図７】
2006122295.tif 000009
【図８】
2006122295.tif 000010
【図９】
2006122295.tif 000011